(57)【要約】      （修正有）【課題】ピクト表示により多くの機能を分かりやすく表示し、更に、ピクトに不慣れな利用者でも、容易に機能を選択することができ、使い勝手を向上することができる携帯電話装置を提供する。【解決手段】携帯無線端末装置が持つ機能と、前記機能に対する状態を示すピクトの表示データと、前記機能を表現する文字列の表示データとを対応させて記憶する対応テーブルを備えた記憶部を有し、予め定められた状態表示とともに選択されている機能を示すピクトを前記表示部に表示させ、入力部からの指示がなされた場合に、前記対応テーブルを参照して、前記表示部に表示されているピクトに対応する文字列の表示データを前記表示部に出力する携帯無線端末装置である。【選択図】図４
2004221658.tif 000002
【特許請求の範囲】
【請求項１】
データを表示する表示部と、データを入力する入力部と、データを記憶する記憶部と、前記入力部からの入力に従って制御を行う制御部とを備えた携帯無線端末装置において、前記記憶部が、前記携帯無線端末装置が持つ機能と、前記表示部で表示する前記機能に対する状態を示すピクトの表示データと、前記機能を表現する文字列の表示データとを対応させて記憶する対応テーブルを備えた記憶部であり、前記制御部が、予め定められた状態表示とともに選択されている機能を示すピクトの表示データを読み出して前記表示部に表示させ、前記入力部からの指示がなされた場合に、前記対応テーブルを参照して、前記記憶部から前記表示部に表示されているピクトに対応する文字列の表示データを読み出して前記表示部に出力することを特徴とする携帯無線端末装置。
【請求項２】
請求項１記載の携帯無線端末装置であって、入力部からの指示により順次ピクトを選択するとともに、該選択されているピクトに対応する文字列を順次表示することを特徴とする携帯無線端末装置。
【請求項３】
請求項１記載の携帯無線端末装置であって、入力部からの指示により前期表示部に表示されているピクトに対応する文字列を一覧表示することを特徴とする携帯無線端末装置。
【発明の詳細な説明】
【０００１】
【発明の属する技術分野】
本発明は、携帯無線端末装置に係り、特に装置に備えられている複数の機能を分かり易く表示し、また、機能の選択を容易にして、使い勝手を向上させることが出来る携帯無線端末装置に関する。
【０００２】
【従来の技術】
携帯無線端末装置は、近年急速に普及しており、最近では様々な付加機能が要求されている。携帯無線端末装置は、装置自体が小型であるため、表示部の面積が限られており、その中で、装置が備えている携帯無線端末装置の状態を示すピクトを利用者が全て把握するのは困難である。そこで従来の携帯無線端末装置としては、例えばドライブモードであれば車のピクトにしたりするなど、できるだけ利用者がわかり易いピクトを用いることで対応していた。
【０００３】
また、携帯無線端末装置が有する機能一覧をピクト表示する機能を有し、該ピクトを選択することにより該ピクト表示がどの様な機能を有しているのかを対応付けた文字表示を表示させることにより、使用者は該一覧表示から該表示されているピクトがどの様な機能を有しているのかを把握でき、ピクト表示と前記文字表示から選択すべき機能を容易に判断することが可能な機能があった。（特許文献１参照）
【０００４】
【特許文献１】
特願平１０−０２３１１７号公報
【０００５】
【発明が解決しようとする課題】
しかしながら、上記従来の携帯無線端末装置の内、利用者がわかり易いピクトを用いるものでは、利用者は、各ピクトとそれに対応する機能説明とを覚えておかなければ内容を把握できず、ピクトの数が多くなると、全て覚えるのは極めて困難であり、取扱説明書を携帯してその都度参照しなければならず、不便であるという問題点があった。
そこで、ピクト表示機能の内容を的確に表すピクトの表示データを備え、機能キー押下時には、表示部に全べての表示可能なピクトとピクトの説明を一覧表示することで、限られたスペースに多くの機能を分かりやすく表示して、携帯無線端末装置がどういう状態になっているのかを認識し易くする技術が考えられている。しかしながら、上記の技術では、ピクトに不慣れな利用者は、携帯無線端末装置に多数有るピクトの中から探しているピクトがどれなのかよくわからず、見つけにくいという問題点や、ピクトの数が多くなると、利用者は、目的のピクトの説明を表示させるためにスクロール操作を何度も繰り返さなければならず、操作が煩わしいという問題点があった。
【０００６】
本発明は上記実情に鑑みて為されたもので、ピクト表示により多くの機能を分かりやすく表示し、更に、ピクトに不慣れな利用者でも、容易に機能を選択することができ、使い勝手を向上することができる携帯無線端末装置を提供することを目的とする。
【０００７】
【課題を解決するための手段】
上記のような問題を解決するための請求項１記載の発明は、データを表示する表示部と、データを入力する入力部と、データを記憶する記憶部と、前記入力部からの入力に従って制御を行う制御部とを備えた携帯無線端末装置において、前記記憶部が、前記携帯無線端末装置が持つ機能と、前記表示部で表示する前記機能に対する状態を示すピクトの表示データと、前記機能を表現する文字列の表示データとを対応させて記憶する対応テーブルを備えた記憶部であり、前記制御部が、予め定められた状態表示とともに選択されている機能を示すピクトの表示データを読み出して前記表示部に表示させ、前記入力部からの指示がなされた場合に、前記対応テーブルを参照して、前記記憶部から前記表示部に表示されているピクトに対応する文字列の表示データを読み出して前記表示部に出力することを特徴としており、表示部に表示中のピクトがどの様な機能なのか、またはどのような状態なのかを選択されたピクトに対応する文字表示を行うことにより、ピクトに不慣れな利用者でも、容易に状態を把握でき、使い勝手を向上させることができる。
【０００８】
上記のような問題を解決するための請求項２記載の発明は、更に入力部からの指示により順次ピクトを選択するとともに、該選択されているピクトに対応する文字列を順次表示することを特徴としており、順次ピクトに対応する文字列を表示することにより、ピクトに不慣れな利用者でも、容易に探しているピクトを見つけることができ、使い勝手を向上させることができる。
【０００９】
上記のような問題を解決するための請求項３記載の発明は、更に入力部からの指示により前期表示部に表示されているピクトに対応する文字列を一覧表示することを特徴としており、表示中のピクトに対応する文字列の一覧を表示することにより、ピクトに不慣れな利用者でも、容易に探しているピクトを見つけることができ、使い勝手を向上させることができる。
【００１０】
【発明の実施の形態】
本発明の実施の形態について図面を参照しながら説明する。本発明の実施の形態に係る携帯無線端末装置（本装置）は、本装置の状態等を表すピクトに対応して、文字によるガイダンスを表示するようにしており、限られたスペースに多くの機能を表示でき、更に、ピクトに不慣れな利用者でも容易に機能を選択することができるようにしているものである。
【００１１】
図１は、本発明の実施の形態に係る携帯電話機の部分構成ブロック図である。図１に示すように、本装置は、送受信とそれに伴う変調復調を行う無線部１と、通話に伴うデータ処理及び付加機能の制御を行う制御部２と、入力部３と、処理プログラムや表示データを備えている記憶部４と、表示部５と、カーソル位置のデータ等を記憶する一時記憶部６とから構成されている。実際には、音声処理部や、音声出力部等が設けられているが、本発明とは直接関係ないので、ここでは省略する。
【００１２】
次に、各構成部分について具体的に説明する。表示部５は、ドットマトリクスとなっており、ピクトの細かいパターンを表示することができるものである。本装置では、画面上にピクトを表示することができるようになっている。
また、記憶部４は、本装置を制御する処理プログラム（制御プログラム）と、携帯無線端末装置の設定された機能や状態等を表示する表示データと、本装置の特徴であるピクトに対応する文字列である文字のガイダンスの表示データを備えている。更に、記憶部４は、各ピクトと、それに対応するガイダンスとを記憶するピクト対応テーブルを備えている。本装置では、説明を簡単にするために、ピクトの数を３個として説明する。
【００１３】
ここで、ピクト対応テーブルについて図２を用いて説明する。図２は、ピクト対応テーブルの模式説明図である。図２に示すように、ピクト対応テーブルは、ピクトと、それに対応する文字のガイダンスとを記憶するテーブルである。
【００１４】
次に、制御部２について説明する。そして、本装置の制御部２は、入力部３の特定キー（例えば「機能」キー）が押下されると、ピクトガイダンス表示モードに移行し、ピクトのガイダンスを表示するものである。
【００１５】
具体的には、表示中のピクトは、一時記憶部６に記憶されており、制御部２は、「機能」キーが押下されると、記憶部４のピクト対応テーブルを参照し、ピクトに対応するガイダンスの文字列データを読み出して、表示部５に出力し、ピクトのガイダンスを表示する。
このようにピクトのガイダンスを表示することにより、本装置の状態等を把握しやすくすることができるものである。
例えば、「ピクト２」の場合、記憶部４の機能対応テーブルに基づいて、「ピクト２」に対応するガイダンス「ドライブモード」を読み出して、制御部２からの指示を受けて、表示部５に予め設定されているフォーマットに従って、ガイダンスを表示するようになっている。
【００１６】
本発明の実施の形態に係る携帯電話装置によれば、記憶部４に、ピクトに対応して文字によるガイダンスの表示データを備え、また、ピクトと、それに対応するガイダンスとを記憶するピクト対応テーブルを設けており、制御部２が、キー押下の際に、ピクト対応テーブルを参照して、キー押下時点のピクトに対応するガイダンスを表示することができ、アイコンに不慣れな利用者でも、容易にピクトの内容を認識することができる効果がある。
【００１７】
また、本装置では、ピクトの数を３個として説明したが、別の実施の形態に係る携帯電話装置（別の装置）として、より多くのピクトを備えている場合についても同様に制御部２が、入力部からの指示に従って、ピクト対応テーブルを参照して、キー押下時点のピクトに対応するガイダンスを表示する。
【００１８】
本発明の第２の実施例について説明する。図３に表示例を示す。
制御部２が、１回目の入力部からの入力指示に従って、表示中のピクトの１個をピクト対応テーブルから参照し、ガイダンスのデータを取得し、表示部５にピクトのガイダンスを表示する。この時、何のピクトのガイダンスの表示中であるかを示す情報を一時記憶部６に記憶しておく。
そして、２回目の入力部からの入力指示では、一時記憶部６から何のピクトのガイダンスの表示中であるかを示す情報を取得し、ピクト対応テーブルから、ピクトが表示中であり、かつ、表示中のガイダンスの次に表示するガイダンスのデータを取得し、表示部５にピクトのガイダンスを表示する。この時も、何のピクトのガイダンスの表示中であるかを示す情報を一時記憶部６に記憶しておく。
３回目以降の入力部からの入力指示では、２回目のキー押下と同様に処理を行うことで、容易に探しているピクトを見つけることができ、使い勝手を向上させることができる効果がある。
【００１９】
本発明の第２の実施例について説明する。図４に表示例を示す。
制御部２が、１回目の入力部からの入力指示の際に、表示中のピクトを全てピクト対応テーブルから参照し、ガイダンスのデータを取得し、ピクトとガイダンスを一覧にして表示部５にピクトのガイダンスを表示する。
この一覧の表示により、ピクトに不慣れな利用者でも、容易に探しているピクトを見つけることができ、使い勝手を向上させることができる効果がある。
【００２０】
また、上記実施例においてはピクトに対応する文字列をガイダンスとして表示させたが、入力部からのガイダンス表示指示状態で異なる入力指示を選択することにより、機能設定画面へステップしたり、状態の詳細として例えば電界の強さを詳細に表示するようにすることを可能としてもよい。
【００２１】
【発明の効果】
請求項１記載の発明によれば、データを表示する表示部と、データを入力する入力部と、データを記憶する記憶部と、前記入力部からの入力に従って制御を行う制御部とを備えた携帯無線端末装置において、前記記憶部が、前記携帯無線端末装置が持つ機能と、前記表示部で表示する前記機能に対する状態を示すピクトの表示データと、前記機能を表現する文字列の表示データとを対応させて記憶する対応テーブルを備えた記憶部であり、前記制御部が、予め定められた状態表示とともに選択されている機能を示すピクトの表示データを読み出して前記表示部に表示させ、前記入力部からの指示がなされた場合に、前記対応テーブルを参照して、前記記憶部から前記表示部に表示されているピクトに対応する文字列の表示データを読み出して前記表示部に出力することを特徴としており、表示部に表示中のピクトがどの様な機能なのか、またはどのような状態なのかを選択されたピクトに対応する文字表示を行うことにより、ピクトに不慣れな利用者でも、容易に状態を把握でき、使い勝手を向上させることができる。
【００２２】
請求項２記載の発明によれば、更に入力部からの指示により順次ピクトを選択するとともに、該選択されているピクトに対応する文字列を順次表示することを特徴としており、順次ピクトに対応する文字列を表示することにより、ピクトに不慣れな利用者でも、容易に探しているピクトを見つけることができ、使い勝手を向上させることができる。
【００２３】
請求項３記載の発明によれば、更に入力部からの指示により前期表示部に表示されているピクトに対応する文字列を一覧表示することを特徴としており、表示中のピクトに対応する文字列の一覧を表示することにより、ピクトに不慣れな利用者でも、容易に探しているピクトを見つけることができ、使い勝手を向上させることができる。
【図面の簡単な説明】
【図１】本発明の実施の形態に係る携帯無線端末装置のブロック図である。
【図２】ピクト対応テーブルの模式説明図である。
【図３】第２の実施例に係る表示例を示す説明図である。
【図４】第３の実施例に係る表示例を示す説明図である。
【符号の説明】
１…無線部、２…制御部、３…入力部、
４…記憶部、５…表示部、６…一時記憶部
【図１】
2004221658.tif 000003
【図２】
2004221658.tif 000004
【図３】
2004221658.tif 000005
【図４】
2004221658.tif 000006